(57)【要約】【課題】  この発明は、周辺輝度に応じて、投射映像の明度を自動的に調整することができる投射型映像表示装置を提供することを目的とする。【解決手段】  投射型映像表示装置に接続されたデジタルカメラに対して測光を指示するとともに、デジタルカメラから送られてきた測光データを受信する手段、および受信した測光データに基づいて映像信号の輝度を制御する制御手段を備えている。制御手段は、受信した測光データによって表される輝度が高い場合には、映像信号の輝度を高くし、受信した測光データによって表される輝度が低い場合には、映像信号の輝度を低くするように、映像信号の輝度を制御する。【選択図】  図１
2005321535.tif 000002
【特許請求の範囲】
【請求項１】
投射型映像表示装置に接続されたデジタルカメラに対して測光を指示するとともに、デジタルカメラから送られてきた測光データを受信する手段、および
受信した測光データに基づいて映像信号の輝度を制御する制御手段、
を備えていることを特徴とする投射型映像表示装置。
【請求項２】
制御手段は、受信した測光データによって表される輝度が高い場合には、映像信号の輝度を高くし、受信した測光データによって表される輝度が低い場合には、映像信号の輝度を低くするように、映像信号の輝度を制御するものであることを特徴とする請求項１に記載の投射型映像表示装置。
【請求項３】
投射型映像表示装置および投射型映像表示装置に接続されたデジタルカメラからなり、
投射型映像表示装置は、デジタルカメラに対して測光を指示する手段、デジタルカメラから送られてきた測光データを受信する手段、および受信した測光データに基づいて映像信号の輝度を制御する制御手段を備えており、
デジタルカメラは、投射型映像表示装置からの測光指示を受信したときに、測光を行なう手段、および測光によって得られた測光データを投射型映像表示装置に送信する手段を備えていることを特徴とする投射型映像表示装置の輝度調整システム。
【請求項４】
制御手段は、受信した測光データによって表される輝度が高い場合には、映像信号の輝度を高くし、受信した測光データによって表される輝度が低い場合には、映像信号の輝度を低くするように、映像信号の輝度を制御するものであることを特徴とする請求項１に記載の投射型映像表示装置の輝度調整システム。
【発明の詳細な説明】
【技術分野】
【０００１】
この発明は、液晶プロジェクタ等の投射型映像表示装置および投射型映像表示装置の輝度調整システムに関する。
【背景技術】
【０００２】
液晶プロジェクタによってスクリーンに投影される映像の明るさは、スクリーンの周辺の明るさ（輝度）によって大きく左右される。たとえば、周辺輝度が高い場合には、投射映像の明度が飛んでしまうため、投射映像は全体的に明度が下がったように見える。逆に、周辺輝度が低い場合には、投射映像は全体的に明度が上がったように見える。
【０００３】
そこで、スクリーンの周辺の明るさに応じて、投射映像の明度を調整しなければならない。従来の液晶プロジェクタでは、液晶プロジェクタ本体に設けられているキーあるいはリモコンに設けられているキーを操作することにより、投射映像の明度を変化させている。つまり、従来においては、目視でスクリーン上に投影された映像を確認しながら、投射映像の明度を手動で調整しなければならないため、時間がかかるとともに、その調整が難しいという問題があった。
【発明の開示】
【発明が解決しようとする課題】
【０００４】
この発明は、周辺輝度に応じて、投射映像の明度を自動的に調整することができる投射型映像表示装置および投射型映像表示装置の輝度調整システムを提供することを目的とする。
【課題を解決するための手段】
【０００５】
請求項１に記載の発明は、投射型映像表示装置に接続されたデジタルカメラに対して測光を指示するとともに、デジタルカメラから送られてきた測光データを受信する手段、および受信した測光データに基づいて映像信号の輝度を制御する制御手段を備えていることを特徴とする。
【０００６】
請求項２に記載の発明は、請求項１に記載の発明において、制御手段は、受信した測光データによって表される輝度が高い場合には、映像信号の輝度を高くし、受信した測光データによって表される輝度が低い場合には、映像信号の輝度を低くするように、映像信号の輝度を制御するものであることを特徴とする。
【０００７】
請求項３に記載の発明は、投射型映像表示装置および投射型映像表示装置に接続されたデジタルカメラからなり、投射型映像表示装置は、デジタルカメラに対して測光を指示する手段、デジタルカメラから送られてきた測光データを受信する手段、および受信した測光データに基づいて映像信号の輝度を制御する制御手段を備えており、デジタルカメラは、投射型映像表示装置からの測光指示を受信したときに、測光を行なう手段、および測光によって得られた測光データを投射型映像表示装置に送信する手段を備えていることを特徴とする。
【０００８】
請求項４に記載の発明は、請求項３に記載の発明において、制御手段は、受信した測光データによって表される輝度が高い場合には、映像信号の輝度を高くし、受信した測光データによって表される輝度が低い場合には、映像信号の輝度を低くするように、映像信号の輝度を制御するものであることを特徴とする。
【発明の効果】
【０００９】
この発明によれば、周辺輝度に応じて、投射映像の明度を自動的に調整することができるようになる。
【発明を実施するための最良の形態】
【００１０】
以下、図面を参照して、この発明を液晶プロジェクタに適用した場合の実施例について説明する。
【実施例１】
【００１１】
図１は、主として液晶プロジェクタの構成を示している。
【００１２】
この実施例では、液晶プロジェクタ１００には、コンピュータ（ＰＣ）９００からのアナログＲＧＢ信号が入力されるものとする。
【００１３】
コンピュータ（ＰＣ）９００からのアナログＲＧＢ信号は、Ａ／Ｄコンバータ３に入力する。ＣＰＵ１は、入力信号に応じたサンプリング周波数を発生するよう、ＶＣＯ２を制御する。Ａ／Ｄコンバータ３は、ＶＣＯ２からのサンプリング周波数に同期して、アナログＲＧＢ信号をサンプリングして、スケーラ４に出力する。
【００１４】
スケーラ４は、映像信号を一時的に格納したり、映像信号以外の表示いわゆるオンスクリーン表示を行うためなどに使用するＤＲＡＭ５を備えている。スケーラ４は、Ａ／Ｄコンバータ３から入力される映像信号を、ＤＲＡＭ５に一旦格納し、キーストーン補正や走査線変換などの処理を行い、オンスクリーン表示を重ねた上で、Ｄ／Ａコンバータ６にデジタル信号を出力する。
【００１５】
Ｄ／Ａコンバータ６は、入力されたデジタル信号をアナログ信号に変換して、色信号ドライバ７に出力する。色信号ドライバ７は、ＣＰＵ１から受信したデータに基づき、明るさなどの色信号補正と、パネルの特性に応じたＤＣカーブの変換処理などを行う。サンプル＆ホールド８は、色信号ドライバ７から入力される信号を、液晶パネル９〜１１に出力するためのサンプリングを行う。
【００１６】
各液晶パネル９〜１１に対しては通常６相、つまり６ドット単位で一括書き込みを行うので、サンプル＆ホールド８は６ドット分のデータ取り込みと一括出力を行う。サンプル＆ホールド８から、ＲＧＢそれぞれの液晶パネル９〜１１に、データが出力される。
【００１７】
なお、サンプル＆ホールド８及び液晶パネル９〜１１の制御は、ＣＰＵ１から受信したデータを基に、タイミングコントローラ１２が行う。
【００１８】
ＣＰＵ１は、プリアンプ１３を介してリモコンからの信号を受信し、その受信内容によって、電源のオン／オフ等の処理を行う。
【００１９】
この実施例では、液晶プロジェクタは、デジタルスチルカメラ（ＤＳＣ）を利用して、投射映像の明度を自動的に調整する機能を備えている。投射映像の明度を自動的に調整する場合には、ＣＰＵ１に、デジタルスチルカメラ（ＤＳＣ）２００が接続される。接続方法はＵＡＲＴなどを用いる。デジタルスチルカメラ（ＤＳＣ）２００は、周辺の明るさ（周辺輝度）を測定する機能、たとえば、多重点測光（ＥＳＰ）機能を備えている。
【００２０】
投射映像の明度を自動的に調整する際には、ＣＰＵ１は、デジタルスチルカメラ（ＤＳＣ）２００とデータの送受信を行って、デジタルスチルカメラ（ＤＳＣ）２００から測光データ（周辺輝度）を獲得し、得られた測光データに基づいて、色信号ドライバ７を制御する。具体的には、ＣＰＵ１は、デジタルスチルカメラ（ＤＳＣ）２００によって測定された周辺輝度（測光データによって表される輝度）が高い場合には映像信号の輝度が高くなり、周辺輝度が低い場合には映像信号の輝度が低くなるような明度の補正量（ゲイン）を、色信号ドライバ７に与える。色信号ドライバ７は、ＣＰＵ１から与えられた明度の補正量（ゲイン）に基づいて、色信号補正を行う。
【００２１】
したがって、周辺輝度が高い場合には、映像信号はその輝度が高くなるように補正されるので、コントラスト比が高くなり、投射映像が明瞭に見えるようになる。一方、周辺輝度が低い場合には、映像信号はその輝度が低くなるように補正されるので、コントラスト比が下がり、投射映像は鑑賞に適したものとなる。
【００２２】
図２は、ＣＰＵ１による自動明度調整処理手順を示している。
【００２３】
図２の処理は、一定時間間隔（例えば１秒間隔）毎に開始される。
【００２４】
まず、液晶プロジェクタ１００内のＣＰＵ１は、自動明度調整モードが設定されているか否かを判別する（ステップＳ１）。自動明度調整モードの設定は、リモコン等によって行われる。自動明度調整モードが設定されていない場合には、今回の処理を終了する。
【００２５】
自動明度調整モードが設定されている場合には、ＣＰＵ１は、デジタルスチルカメラ（ＤＳＣ）２００に測光を指示する（ステップＳ２）。そして、ＤＳＣ２００から測光データが送られてくるのを待つ（ステップＳ３）。ＤＳＣ２００からの測光データを受信すると、受信した測光データに基づいて、明度の補正量（ゲイン）を算出し、算出した明度の補正量（ゲイン）に基づいて色信号ドライバ７を制御する（ステップＳ４）。そして、今回の処理を終了する。
【００２６】
図３は、デジタルスチルカメラ（ＤＳＣ）２００の処理手順を示している。
【００２７】
図３の処理は、一定時間間隔（例えば１秒間隔）毎に開始される。
【００２８】
液晶プロジェクタ１００内のＣＰＵ１からの測光の指示を受信すると（ステップＳ１１）、測光を行い（ステップＳ１２）、得られた測光データを液晶プロジェクタ１００内のＣＰＵ１に送信する（ステップＳ１３）。そして、今回の処理を終了する。測光には、たとえば、多重点測光（ＥＳＰ）が用いられる。
【図面の簡単な説明】
【００２９】
【図１】主として液晶プロジェクタの構成を示すブロック図である。
【図２】ＣＰＵ１による自動明度調整処理手順を示すフローチャートである。
【図３】デジタルスチルカメラ（ＤＳＣ）２００の処理手順を示すフローチャートである。
【符号の説明】
【００３０】
１  ＣＰＵ
７  色信号ドライバ
１００    液晶プロジェクタ
２００デジタルスチルカメラ（ＤＳＣ）
【図１】
2005321535.tif 000003
【図２】
2005321535.tif 000004
【図３】
2005321535.tif 000005